(57)【要約】  【課題】  部品点数の増加や組み込み工数の増加を招くことなく，画像形成用の光学機器が組み込まれるユニット筐体の歪み防止と共振防止とを両立できること。  【解決手段】  光学機器が組み込まれるユニット筐体３０に，補強された補強領域若しくはその隣接部に形成された３つの主固定部３１〜３３と，前記補強領域との間に可撓部３５を介して形成された補助固定部３４とを設け，それら４箇所以上の固定部で固定する。振動源となるポリゴンミラーは，３つの主固定部３１〜３４で形成される三角形Ｐ０の内側若しくはその近傍の位置９ｘに組み込まれ，走査されるビーム光を反射する偏向ミラーの位置８ｘとの間に他よりも強く補強された高補強領域Ｐ２が形成されるとともに，それを挟む２箇所に３つの主固定部のうちの２つ３１，３２が形成された構成とする。【選択図】図１
2006235508.tif 000002
【特許請求の範囲】
【請求項１】
画像形成に用いられる光学機器が組み込まれる一体成型部材であり，本体側の支持部で固定支持されるユニット筐体を具備する画像形成装置であって，
前記ユニット筐体のうち所定の補強構造により補強された補強領域若しくはその隣接部に形成され前記本体側の支持部に固定支持される３つの主固定部と，前記ユニット筐体のうち前記補強領域との間に可撓性を有する可撓部を介して形成され前記本体側の支持部に固定支持される１つ以上の補助固定部との各々が，前記ユニット筐体の縁部若しくはその近傍において四角以上の多角形を形成する所定の複数箇所に形成され，
前記光学機器が前記補強領域に組み込まれてなることを特徴とする画像形成装置。
【請求項２】
前記可撓部が，前記ユニット筐体の外縁の一部を形成し，前記補強領域との間の所定範囲において前記補強構造が設けられていない緩衝領域を隔てて形成された壁部である請求項１に記載の画像形成装置。
【請求項３】
前記補強構造が前記ユニット筐体に形成されたリブ構造である請求項１又は２のいずれかに記載の画像形成装置。
【請求項４】
前記光学機器の構成要素としてビーム光を走査する光走査手段を備え，
前記ユニット筐体における前記３つの主固定部により形成される三角形の内側若しくはその近傍の位置に前記光走査手段が組み込まれてなる請求項１〜３のいずれかに記載の画像形成装置。
【請求項５】
前記補強領域のうち前記３つの主固定部により形成される三角形の外側における前記光走査手段の組み込み位置に近い領域においては前記光走査手段からの放射方向若しくはこれに近い方向に沿って伸びるリブが形成されてなる請求項４に記載の画像形成装置。
【請求項６】
前記光学機器の構成要素として前記光走査手段と該光走査手段により走査されるビーム光をその走査範囲に渡って反射する反射ミラーとを備え，
前記ユニット筐体の前記補強領域における対向する両側の位置各々に前記光走査手段と前記反射ミラーとが組み込まれ，前記光走査手段と前記反射ミラーの間の領域に他よりも強く補強された高補強領域が形成されるとともに，該高補強領域を挟む２箇所に前記３つの主固定部のうちの２つが形成されてなる請求項４又は５のいずれかに記載の画像形成装置。
【請求項７】
前記ユニット筐体が一体成型された樹脂成型部材である請求項１〜６のいずれかに記載の画像形成装置。
【発明の詳細な説明】
【技術分野】
【０００１】
本発明は，画像形成に用いられる光学機器が一体成型された筐体に組み込まれてなる光学ユニットを具備する画像形成装置に関するものである。
【背景技術】
【０００２】
電子写真方式の画像形成装置（複写機，プリンタ，ファクシミリ装置等）では，予め帯電された感光体の表面にビーム光を走査させて，或いはドラム状の感光体の回転軸方向に配列されたＬＥＤアレイ光源により露光することによって静電潜像が書き込まれる。そのビーム光は，レーザダイオード等の光源から出射され，一又は複数の反射ミラー（偏向ミラー），レンズ（ｆθレンズ等），ポリゴンミラー（回転多面鏡）等の光学機器を備えた光走査装置により所定の主走査方向に走査されながら前記感光体ドラムに導かれる。
ここで，前記感光体ドラム上へのビーム光の照射位置の精度が悪いと，画像ムラや画像歪みが生じる等の画質低下につながる。
特に，複数色（例えば，ブラック，マゼンダ，イエロー，シアンの４色）のトナー像各々を複数の感光体ドラム上各々に独立に形成し，それらを重ね合わせて用紙に転写するタンデム方式等の画像形成装置（即ち，カラー画像形成装置）においては，各色に対応するビーム光相互の相対的な照射位置の精度（特に，スキューの精度）が悪いと，画像ムラや画像歪み等に加えて，各色のトナー像の転写位置に相対的なズレが生じ，画像質を際立って低下させる。
そこで，画像形成に用いられる光学機器を一体成型された一つの筐体に組み込んでユニット化することにより，光学機器相互間の位置決め精度を向上させた上で，そのユニットを画像形成装置本体に組み込む構成が採用されることが多い。以下，このようなユニットを構成する筐体をユニット筐体という。
ここで，前記ユニット筐体は，画像形成装置の本体側の支持部に対し４箇所で固定支持されると，４箇所の本体側支持部の高さのばらつきや，前記ユニット筐体の形状のばらつき等により，１箇所において支持部と前記ユニット筐体との間に隙間が生じることから，前記ユニット筐体に歪みが生じ，それに組み込まれた光学機器の位置決め精度が悪化する。
これに対し，前記ユニット筐体が，本体側の支持部に対し３箇所で固定支持されると，上記のような歪みが生じることがなく，前記ユニット筐体の固定により生じる歪みが原因で光学機器の位置決め精度が悪化することを防止できる。
また，前記特許文献１には，走査光学装置の台座にボールを当接させ，そのボールをスプリングで押圧する構成により，走査光学装置の台座の歪みを防止する構成について示されている。
【特許文献１】特開平０６−１２３８４９号公報
【発明の開示】
【発明が解決しようとする課題】
【０００３】
しかしながら，前記ユニット筐体は，一般にほぼ直方体であるため，これを３箇所で固定支持すると，その３箇所の固定支持部により形成される三角形の外側に位置して変位の拘束状態が弱い部分（以下，フリーな部分という）の占める割合が大きくなる。このフリーな部分の占める割合が大きくなると，前記ユニット筐体に組み込まれたポリゴンミラーや周辺装置等の駆動部の振動に共振し易くなり，その共振によって光学機器の位置決め精度が悪化するという問題点があった。
また，前記ユニット筐体を主として３箇所で固定支持するとともに，さらに１箇所を特許文献１に示されるようにホルダに組み込まれたバネ等を用いて前記ユニット筐体が歪まない程度に補助的に固定支持し，これによって共振を抑える構成も考えられるが，スプリング等の補助的な固定支持機構を構成する部品の増加やその組み込み工数の増加を招くという問題点があった。
従って，本発明は上記事情に鑑みてなされたものであり，その目的とするところは，部品点数の増加や組み込み工数の増加を招くことなく，画像形成用の光学機器が組み込まれるユニット筐体の歪み防止と共振防止とを両立できる画像形成装置を提供することにある。
【課題を解決するための手段】
【０００４】
上記目的を達成するために本発明は，一体成型部材であり，画像形成に用いられる光学機器，例えば，感光体を露光するビーム光を走査する機器，さらにはそのビーム光を出力する光源等の光学機器が組み込まれるとともに本体側の支持部で固定支持される筐体（以下，ユニット筐体という）を具備する画像形成装置に適用されるものであり，前記ユニット筐体のうち，リブ構造や厚肉構造等の所定の補強構造により補強された補強領域若しくはその隣接部に形成され前記本体側の支持部に固定支持される３つの固定部（以下，主固定部という）と，前記ユニット筐体のうち，前記補強領域との間に可撓性を有する可撓部を介して形成され前記本体側の支持部に固定支持されるさらに１つ以上の固定部（以下，補助固定部という）との各々が，前記ユニット筐体の縁部若しくはその近傍において四角以上の多角形を形成する所定の複数箇所に形成され，さらに，前記光学機器が前記補強領域に組み込まれた構成を有するものである。ここで，前記ユニット筐体は，一体成型された樹脂成型部材（樹脂成型品）等により構成される。
これにより，前記補強領域については，３箇所の前記主固定部で完全に固定されても歪むことがなく，そこに組み込まれた光学機器は高精度で位置決めされる。
一方，残りの１箇所の前記補助固定部を固定することにより前記ユニット筐体に歪みが生じても，前記可撓部が歪むだけで前記補強領域に組み込まれた前記光学機器の位置決め精度に影響しない。
さらに，４箇所以上での固定支持により，一般にほぼ立方体を形成する前記ユニット筐体において，変位の拘束状態が弱い前記フリーな部分の占める割合を減らせるので，前記ユニット筐体に組み込まれるポリゴンミラーや周辺装置の駆動部に対して共振することを防止できる。
しかも，一体成型される前記ユニット筐体が特徴的な構造を有するだけであるので，部品点数の増加や組み込み工数の増加を招くことがない。
【０００５】
ここで，前記可撓部の具体的構成としては，例えば，前記ユニット筐体の外縁の一部を形成する壁部であって，前記補強領域との間の所定範囲において前記補強構造（リブ等）が設けられていない緩衝領域を隔てて形成された部分（壁部）とすることが考えられる。
また，前記光学機器の構成要素としてビーム光を走査するポリゴンミラーや往復走査型のレゾナントスキャナ等の振動源となる光走査手段を備える場合に，前記ユニット筐体における前記３つの主固定部により形成される三角形の内側若しくはその近傍の位置にその光走査手段が組み込まれた構成とすれば好適である。
前記３つの主固定部により形成される三角形の内側若しくはその近傍は，他の領域に比べて特に共振しにくい位置であるため，前記ユニット筐体全体として共振しにくくなるからである。
さらにこの場合，前記補強領域のうち前記三角形の外側における前記光走査手段の組み込み位置に近い領域においては，前記光走査手段からの放射方向，即ち，振動の伝播方向若しくはこれに近い方向（鋭角に交差する方向）に沿って伸びるリブが形成された前記ユニット筐体とすることが考えられる。
これにより，振動源（前記光走査手段）からの振動の伝播を効果的に抑えることができる。
また，前記光学機器の構成要素として前記光走査手段と該光走査手段により走査されるビーム光をその走査範囲に渡って反射する反射ミラーとを備える場合，その反射ミラーは，薄く長細い形状を有するため，光学機器の中でも特に前記光走査手段から伝播される振動の影響を受けやすい。
そこで，そのような場合に，前記ユニット筐体の前記補強領域における対向する両側の位置各々に前記光走査手段と前記反射ミラーとが組み込まれ，前記光走査手段と前記反射ミラーの間の領域に他よりも強く補強された領域（高補強領域という）が形成されるとともに，その高補強領域を挟む２箇所に前記３つの主固定部のうちの２つが形成された構成とすることが好適である。
このような構成により，２箇所の前記主固定部で挟まれた前記高強度領域は特に振動しにくい領域となり，前記光走査手段からの振動の伝播は前記高強度領域で遮られるので，振動に敏感な前記反射ミラーまで振動が伝播することを防止できるからである。
【発明の効果】
【０００６】
本発明によれば，画像形成用の光学機器が組み込まれるユニット筐体に，補強された補強領域若しくはその隣接部に形成された３つの主固定部と，前記補強領域との間に可撓部を介して形成された補助固定部とを設け，それら４箇所以上の固定部で固定することにより，部品点数の増加や組み込み工数の増加を招くことなく，ユニット筐体の歪み防止と共振防止とを両立することが可能となる。
さらに，振動源となる光走査手段が，前記３つの主固定部により形成される三角形の内側若しくはその近傍の位置に組み込まれた構成としたり，また，前記補強領域のうち前記三角形の外側における前記光走査手段（振動源）の組み込み位置に近い領域においては，前記光走査手段からの放射方向，即ち，振動の伝播方向若しくはこれに近い方向（鋭角に交差する方向）に沿って伸びるリブが形成された構成とすれば，共振防止に特に有効である。
また，前記光走査手段とそれにより走査されるビーム光を反射する反射ミラーとを備える場合に，前記ユニット筐体の前記補強領域における対向する両側の位置各々に前記光走査手段と前記反射ミラーとが組み込まれ，前記光走査手段と前記反射ミラーの間の領域に他よりも強く補強された高補強領域が形成されるとともに，その高補強領域を挟む２箇所に前記３つの主固定部のうちの２つが形成された構成とすることにより，振動に敏感な前記反射ミラーまで振動が伝播することを防止でき特に好適である。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る画像形成装置Ａの概略断面図，図２は画像形成装置Ａが備える光学ユニットＸの斜視図，図３〜図５は各々光学ユニットＸを構成するユニット筐体３０の平面図，底面図及び断面図，図６はユニット筐体３０における固定部の配置例を表す図である。
【０００８】
本発明の実施形態に係る画像形成装置Ａは，画像形成に用いられる光学機器が組み込まれる一体成型部材であるユニット筐体を備えるものであり，その特徴は，前記ユニット筐体に，補強された補強領域若しくはその隣接部に形成された３箇所の主固定部と，その補強領域との間に可撓部を介して形成された１つ以上の補助固定部とが多角形を形成するよう設けられ，前記光学機器が前記補強領域に組み込まれた構成を有する点である。
まず，図１に示す概略断面図を用いて，本発明の実施形態に係る画像形成装置Ａについて説明する。
画像形成装置Ａは，トナーを用いて画像形成を行う複写機，プリンタ，ファクシミリ装置等の電子写真方式の画像形成装置であり，図１はその一例である複写機を表している。
図１に示すように，画像形成装置Ａは，原稿から画像を読み取る画像読取部４０，記録紙が積載される給紙カセット２０，その給紙カセット２０から記録紙を１枚ずつ送り出す給紙ローラ２１，送り出された記録紙を搬送する搬送ローラ２２等を備え，原稿からの読取画像に基づくトナー像を記録紙に転写して画像形成を行う。
さらに前記画像形成装置Ａは，画像形成を行う主要部として，トナー像を担持する感光体ドラム１，その感光体ドラム１の表面を一様に帯電させる帯電装置３，前記感光体ドラム１表面にビーム光を走査させて露光することにより静電潜像を書き込む光学ユニットＸ，その静電潜像にトナーを供給することによりトナー像として現像する現像装置２，そのトナー像を記録紙に転写させる転写ローラ４，トナー像を記録紙に転写後の前記感光体ドラム１表面の除電を行う除電装置５，トナー像を記録紙上に加熱定着させる定着装置６等を備え，トナー像が定着された記録紙は，排紙ローラ２３により排紙トレイ２４に排出される。
前記光学ユニットＸは，その筐体（光学筐体）に形成された４箇所の固定部（後述）が，当該画像形成装置Ａの本体側の支持部１１に対してビス止めにより固定支持される。
【０００９】
次に，図２の斜視図を用いて，前記光学ユニットＸについて説明する。
前記光学ユニットＸは，前記感光体ドラム１に対してビーム光（レーザ光）の出力及び走査を行なう光学機器として，光源Ｚ，偏向ミラー８，ポリゴンミラー９，ｆθレンズ７，ＢＤセンサ１０等の画像形成用の光学機器が，樹脂成型等により一体成型された筐体３０（樹脂成型部材の一例）に組み込まれてユニット化されたものである。
前記光源Ｚは前記感光体ドラム１を露光するビーム光を出力するレーザダイオード組み込み基板等である。
また，前記ポリゴンミラー９は，前記光源Ｚから出力されるビーム光を所定の主走査方向に走査するもの（光走査手段）である。
前記ｆθレンズ７は，走査されるビーム光の前記感光体ドラム１表面における走査速度が一定速度となるようにビーム光の光路を調節するものである。
前記偏向ミラー８は，前記ポリゴンミラー９によって走査されるビーム光をその走査範囲に渡って反射する反射ミラーである。
前記ＢＤセンサ１０は，走査されるビーム光が所定の基準位置に到達したことを検出する光センサであり，その検出結果に基づいてビーム光の走査位置が特定される。
前記ユニット筐体３０には，その外縁を形成する壁部の近傍（縁部若しくはその近傍の一例）において，四角形（多角形の一例）を形成する所定の４箇所に，前記本体側の支持部１１に固定支持される４つの固定部３１〜３４が形成されている。この固定部３１〜３４も前記ユニット筐体３０の一部として一体成型されている。
【００１０】
以下，図３〜図５に示す平面図，底面図及び断面図（図１におけるＢ−Ｂ位置の断面）を用いて，前記ユニット筐体３０の構造について説明する。
図３の平面図及び図４の底面図に示すように，一部の領域Ｐ１を除き，図中のＰ２〜Ｐ５で示す領域を含むほぼ全領域に渡って格子状或いは平行線状にリブＱ１〜Ｑ５等が形成され，このリブ構造（補強構造の一例）により補強されている。補強構造としては，リブ構造の他，補強部を厚肉にする構造も考えられるが，リブ構造の方が軽量で効果的な補強が可能である。
また，４箇所の固定部３１〜３４のうちの３箇所の固定部３１〜３３は，前記ユニット筐体３０のうち，リブ構造により補強された前記補強領域（Ｐ１領域を除く領域）或いはその隣接部に形成されている。図３に示す例では，固定部３１，３２が前記補強領域に，固定部３３が前記補強領域の隣接部に各々形成されている。以下，これら固定部３１〜３３を，主固定部という。
これら主固定部３１〜３３は，前記本体側の支持部１１に対してビス止めにより固定支持される。
【００１１】
一方，残りの１箇所の固定部３４は，前記ユニット筐体３０のうち，前記補強領域との間に形成された可撓性を有する壁部３５（可撓部の一例，以下，可撓壁部という）を介して形成されている。以下，この固定部３４を，補助固定部という。図３〜図５に示されるように，前記可撓壁部３５は，前記ユニット筐体３０の外縁の一部を形成し，前記補強領域との間の所定範囲において補強構造であるリブが設けられていない緩衝領域Ｐ１を隔てて形成された壁部である。この補助固定部３４も，前記本体側の支持部１１に対してビス止めにより固定支持される。
このように，４箇所の前記固定部３１〜３４各々は，前記ユニット筐体３０の縁部若しくはその近傍に，それらが四角形を形成する箇所に形成されている。
また，前記光源Ｚ，前記ポリゴンミラー９及び前記偏向ミラー８等の画像形成用の光学機器は，前記補強領域に組み込まれる。具体的には，図３において，Ｐ３で示す領域に前記光源Ｚが，９ｘで示される位置に前記ポリゴンミラー９が，８ｘで示される位置に前記偏向ミラー８が各々組み込まれる。
ここで，前記主固定部３１〜３３が前記本体側支持部１１に固定されて前記補強領域の位置決めがなされた状態で，前記可撓壁部３５の外側に形成された前記補助固定部３４が前記本体側の支持部１１に固定され，これにより前記補助固定部３４が変位した場合を考える。この場合，図５の拡大図に示すように，前記可撓壁部３５がリブで補強されていないため，前記緩衝領域Ｐ１の一部及び前記可撓壁部３５の部分のみが撓み，前記補強領域の位置に影響を与えることがない。
この点，リブＱ４，Ｑ３により補強された領域に隣接して形成された前記主固定部３１〜３３とは異なる。
その結果，４箇所の固定部３１〜３４で固定しても，３箇所固定の場合と同様に，前記補強領域に組み込まれる前記光学機器を高い精度で位置決めできる。しかも，前記補助支持部３４も前記本体側の支持部１１に固定されることにより前記フリーな部分をほとんど無くすことができるため，前記ポリゴンミラー９の回転による振動に対し前記ユニット筐体３０が共振することを防止できる。
【００１２】
また，本実施形態のように前記光学機器の構成要素としてビーム光を走査する前記ポリゴンミラー９（光走査手段の一例）を備える場合，これが振動源となる。そのような振動源となる前記ポリゴンミラー９等の機器の組み込み位置９ｘは，図３に示すように，前記ユニット筐体３０における３つの前記主固定部３１〜３４により形成される三角形の領域（図３のＰ０で表す領域）の内側若しくはその近傍の位置となるよう構成することが望ましい。３つの前記主固定部３１〜３４により形成される三角形Ｐ０の内側若しくはその近傍は，他の領域に比べて特に共振しにくい位置であるため，そこに振動源を配置することにより，前記ユニット筐体３０全体として共振しにくくなるからである。
さらに，前記補強領域のうち，前記三角形Ｐ０の外側における振動源（前記ポリゴンミラー９）の組み込み位置９ｘに近い領域Ｐ４においては，その振動源からの放射方向（図３におけるほぼ下向きの方向），即ち，振動の伝播方向若しくはこれに近い方向（鋭角に交差する方向）に沿って伸びるリブＱ２が形成された構造とすることが望ましい。図３及び図４に示す例では，一方の面（表面）にそのようなリブＱ２が形成され（図３参照），他方の面（裏面）には前記放射方向に鋭角に交差する方向に伸びる格子状のリブＱ２’が形成されている（図４参照）。
これにより，その振動の伝播方向に略直角な方向に伸びるリブを設けるよりも，振動源（前記ポリゴンミラー９）からの振動の伝播を効果的に抑えることができる。
【００１３】
また，本実施形態のように，前記光学機器の構成要素として前記ポリゴンミラー９等の光走査手段とこれにより走査されるビーム光をその走査範囲に渡って反射する前記偏向ミラー８（反射ミラーの一例）とを備える場合，前記偏向ミラー８は薄く長細い形状を有するため，前記光学機器の中でも特に前記ポリゴンミラー９等の振動源から伝播される振動の影響を受けやすい。
そこで，図３に示すように，前記ユニット筐体３０の前記補強領域において，対向する両側の位置各々に振動源となる前記ポリゴンミラー９の組み込み位置９ｘと前記偏向ミラー８の組み込み位置８ｘとを配置し，前記ポリゴンミラー９及び前記偏向ミラー８の両組み込み位置９ｘ，８ｘの間の領域に，表側及び裏側の両方に形成された格子状のリブＱ４により他の部分よりも強く補強された領域Ｐ２（以下，高補強領域Ｐ２という）が形成された構成とし，さらに，その高補強領域Ｐ２を挟む２箇所に３つの前記主固定部のうちの２つの主固定部３１，３２が形成された構成とすることが望ましい。
このような構成により，２箇所の前記主固定部３１，３２で挟まれた前記高強度領域Ｐ２は特に振動しにくい領域となり，前記ポリゴンミラー９からの振動の伝播は前記高強度領域Ｐ２で遮られるので，薄くて細長いため振動に敏感な前記偏向ミラー８にまで振動が伝播することを防止できる。
【００１４】
以上示した実施形態は，前記ユニット筐体３０に，３箇所の前記主固定部３１〜３３と，１箇所の前記補助固定部３４とが形成された例を示したが，前記補助固定部３４については，２箇所以上とする構成も考えられる。
図６は，前記ユニット筐体３０における前記主固定部３１〜３３と，前記補強領域に対して前記緩衝領域Ｐ１を隔てて形成された前記補助固定部３４の配置例を表す図である。いずれも，前記主固定部３１〜３３は３箇所である。
図６（ａ）は，２箇所に前記補助固定部３４が形成され，これと前記主固定部３１〜３３により四角形が形成されるような配置の例，図６（ｂ）は，同じく２箇所に前記補助固定部３４が形成され，これと前記主固定部３１〜３３により五角形が形成されるような配置の例を表す。これらのような配置を有するものも本発明の実施形態の一例である。
また，図１に示した画像形成装置Ａは，前記感光体ドラム１が１つであるモノクロの画像形成装置であるが，本発明を適用する画像形成装置はカラー画像形成装置であってもかまわない。
例えば，複数色（例えば，ブラック，マゼンダ，イエロー，シアンの４色）のトナー像各々を複数の感光体ドラム上各々に独立に形成し，それらを重ね合わせて用紙に転写するタンデム方式等の画像形成装置（即ち，カラー画像形成装置）においては，各色に対応するビーム光相互の相対的な照射位置の精度（特に，スキューの精度）が悪いと，画像ムラや画像歪み等に加えて，各色のトナー像の転写位置に相対的なズレが生じ，画像質を際立って低下させる。このため，複数のビーム光を一括走査させる機器や，走査されるビーム光を複数の前記感光体ドラム各々に導く機器等の光学機器が前記ユニット筐体３０に組み込まれてなる前記光学ユニットＸを具備するカラー画像形成装置に適用すれば，画質低下の防止効果が顕著となりなお好適である。
【産業上の利用可能性】
【００１５】
本発明は，画像形成装置への利用が可能である。
【図面の簡単な説明】
【００１６】
【図１】本発明の実施形態に係る画像形成装置Ａの概略断面図。
【図２】画像形成装置Ａにおける光学ユニットＸの概略斜視図。
【図３】光学ユニットＸを構成するユニット筐体３０の平面図。
【図４】光学ユニットＸを構成するユニット筐体３０の底面図。
【図５】光学ユニットＸを構成するユニット筐体３０の断面図。
【図６】ユニット筐体３０における固定部の配置例を表す図。
【符号の説明】
【００１７】
Ａ…本発明の実施形態に係る画像形成装置
Ｘ…光学ユニット
Ｚ…光源
１…感光体ドラム
２…現像装置
３…帯電装置
４…転写ローラ
５…除電装置
６…定着装置
８…偏向ミラー（反射ミラー）
９…ポリゴンミラー
１１…本体側の支持部
３０…ユニット筐体
３１〜３３…主固定部
３４…補助固定部
３５…可撓壁部
Ｐ１…緩衝領域
Ｐ２…高補強領域
Ｐ３〜Ｐ５…補強領域
Ｑ１〜Ｑ５…リブ（補強構造）
【図１】
2006235508.tif 000003
【図２】
2006235508.tif 000004
【図３】
2006235508.tif 000005
【図４】
2006235508.tif 000006
【図５】
2006235508.tif 000007
【図６】
2006235508.tif 000008